(57)【特許請求の範囲】
【請求項１】
記録シートに画像を形成する画像形成部と、
前記画像形成部側に設けられた基部に揺動可能に組み付けられた第１揺動体と、
前記第１揺動体に揺動可能に組み付けられた第２揺動体と、
前記第１揺動体を前記基部に対して揺動不可とする施錠状態と、前記第１揺動体を前記基部に対して揺動可能とする解除状態とを切り替える第１ロック部材と、
前記第２揺動体を前記第１揺動体に対して揺動不可とする施錠状態と、前記第２揺動体を前記第１揺動体に対して揺動可能とする解除状態とを切り替える第２ロック部材とを備え、
前記第１ロック部材及び前記第２ロック部材のうちいずれか一方のロック部材は、少なくとも前記施錠状態から前記解除状態に移行する時に、他方のロック部材に対して前記施錠状態を保持する向きの保持力を作用させるように構成され、
前記第１ロック部材は、前記第１揺動体に揺動可能に組み付けられているとともに、前記基部に設けられた第１係合部に係合することにより前記施錠状態を保持し、
前記第２ロック部材は、前記第１揺動体に揺動可能に組み付けられているとともに、前記第２揺動体に設けられた第２係合部に係合することにより前記施錠状態を保持し、
さらに、前記第２ロック部材は、前記第２揺動体が前記施錠状態から前記解除状態に揺動する場合に、前記第２係合部との係合状態が変化しながら前記第２係合部から力を受けて揺動することによって前記第１ロック部材に前記保持力を作用させるように構成されていることを特徴とする画像形成装置。
【請求項２】
前記第１ロック部材は、前記第１揺動体が前記施錠状態から前記解除状態に揺動する場合に、前記第１係合部との係合状態が変化しながら前記第１係合部から力を受けて揺動することによって前記第２ロック部材に前記保持力を作用させるように構成されていることを特徴とする請求項１に記載の画像形成装置。
【請求項３】
前記第１ロック部材と前記第２ロック部材とは、共通の揺動軸により前記第１揺動体に揺動可能に組み付けられており、
さらに、前記第１ロック部材及び前記第２ロック部材のうちいずれか一方の部材から他方の部材に力を伝達する弾性変形可能なバネ手段が、前記揺動軸に対して、前記第１係合部及び前記第２係合部側のうち少なくとも一方側にずれた位置に設けられていることを特徴とする請求項２に記載の画像形成装置。
【請求項４】
記録シートに画像を形成する画像形成部と、
前記画像形成部側に設けられた基部に揺動可能に組み付けられた第１揺動体と、
前記第１揺動体に揺動可能に組み付けられた第２揺動体と、
前記第１揺動体を前記基部に対して揺動不可とする施錠状態と、前記第１揺動体を前記基部に対して揺動可能とする解除状態とを切り替える第１ロック部材と、
前記第２揺動体を前記第１揺動体に対して揺動不可とする施錠状態と、前記第２揺動体を前記第１揺動体に対して揺動可能とする解除状態とを切り替える第２ロック部材とを備え、
前記第１ロック部材及び前記第２ロック部材のうちいずれか一方のロック部材は、少なくとも前記施錠状態から前記解除状態に移行する時に、他方のロック部材に対して前記施錠状態を保持する向きの保持力を作用させるように構成され、
前記第１ロック部材は、前記第１揺動体に揺動可能に組み付けられているとともに、前記基部に設けられた第１係合部に係合することにより前記施錠状態を保持し、
前記第２ロック部材は、前記第２揺動体に揺動可能に組み付けられているとともに、前記第１ロック部材に設けられた第２係合部に係合することにより前記施錠状態を保持し、
さらに、前記第２ロック部材は、前記第２揺動体が前記施錠状態から前記解除状態に揺動する場合に、前記第２係合部との係合状態が変化しながら前記第２係合部から力を受けて揺動し、
一方、前記第１ロック部材は、前記第２ロック部材が前記第２係合部から受ける力の反作用により前記保持力を受けるように構成されていることを特徴とする画像形成装置。
【請求項５】
前記第２係合部は、前記第１ロック部材の揺動中心を挟んで前記第１係合部と反対側に設けられていることを特徴とする請求項４に記載の画像形成装置。
【請求項６】
前記第１揺動体は、前記画像形成部の上部を覆うとともに、記録シートの排出トレイが設けられたトップカバーであり、
前記第２揺動体は、原稿に記載された画像を読み取るスキャナ部であり、
さらに、前記第２揺動体の揺動軸と平行な方向を幅方向としたとき、前記幅方向一端側には、原稿をスキャナ部の読取部に自動搬送するＡＤＦ機構が設けられ、前記幅方向他端側には、前記第１ロック部材及び前記第２ロック部材が設けられていることを特徴とする請求項１ないし請求項５のいずれか１項に記載の画像形成装置。
【請求項７】
記録シートに画像を形成する画像形成部と、
前記画像形成部側に設けられた基部に揺動可能に組み付けられた第１揺動体と、
前記第１揺動体に揺動可能に組み付けられた第２揺動体と、
前記第１揺動体を前記基部に対して揺動不可とする施錠状態と、前記第１揺動体を前記基部に対して揺動可能とする解除状態とを切り替える第１ロック部材と、
前記第２揺動体を前記第１揺動体に対して揺動不可とする施錠状態と、前記第２揺動体を前記第１揺動体に対して揺動可能とする解除状態とを切り替える第２ロック部材とを備え、
前記第１ロック部材及び前記第２ロック部材のうちいずれか一方のロック部材は、少なくとも前記施錠状態から前記解除状態に移行する時に、他方のロック部材に対して前記施錠状態を保持する向きの保持力を作用させるように構成され、
前記第１揺動体は、前記画像形成部の上部を覆うとともに、記録シートの排出トレイが設けられたトップカバーであり、
前記第２揺動体は、原稿に記載された画像を読み取るスキャナ部であり、
さらに、前記第２揺動体の揺動軸と平行な方向を幅方向としたとき、前記幅方向一端側には、原稿をスキャナ部の読取部に自動搬送するＡＤＦ機構が設けられ、前記幅方向他端側には、前記第１ロック部材及び前記第２ロック部材が設けられていることを特徴とする画像形成装置。
【発明の詳細な説明】
【技術分野】
【０００１】
本発明は、画像形成装置に関するものである。
【背景技術】
【０００２】
例えば、特許文献１に記載の画像形成装置では、スキャナハウジングが閉姿勢の状態で原稿カバーを開姿勢にするとスキャナハウジングをプリンタハウジングにロックする第１ロック機構と、原稿カバーが閉姿勢の状態でスキャナハウジングを開姿勢にすると原稿カバーをスキャナハウジングにロックする第２ロック機構とを備えることにより、スキャナハウジングと原稿カバーとが同時に開いてしまうことを防止している。
【特許文献１】特開２００６−４２００３号公報
【発明の開示】
【発明が解決しようとする課題】
【０００３】
ところで、特許文献１に記載の発明の第１ロック機構と第２ロック機構とは、一方のロック機構の影響を受けることなく、他方のロック機構が独立して作動するものである。
そこで、本発明は、特許文献１に記載の発明と異なる観点から、２つの揺動体が同時に開いてしまうことを防止することを目的とする。なお、揺動体とは、スキャナハウジングや原稿カバー等のように、画像形成装置の本体に対して揺動するものをいう。
【課題を解決するための手段】
【０００４】
本発明は、上記目的を達成するために、請求項１に記載の発明では、請求項１に記載の発明では、記録シートに画像を形成する画像形成部と、画像形成部側に設けられた基部に揺動可能に組み付けられた第１揺動体と、第１揺動体に揺動可能に組み付けられた第２揺動体と、第１揺動体を基部に対して揺動不可とする施錠状態と、第１揺動体を基部に対して揺動可能とする解除状態とを切り替える第１ロック部材と、第２揺動体を第１揺動体に対して揺動不可とする施錠状態と、第２揺動体を第１揺動体に対して揺動可能とする解除状態とを切り替える第２ロック部材とを備え、第１ロック部材及び第２ロック部材のうちいずれか一方のロック部材は、少なくとも施錠状態から解除状態に移行する時に、他方のロック部材に対して施錠状態を保持する向きの保持力を作用させるように構成され、第１ロック部材は、第１揺動体に揺動可能に組み付けられているとともに、基部に設けられた第１係合部に係合することにより施錠状態を保持し、第２ロック部材は、第１揺動体に揺動可能に組み付けられているとともに、第２揺動体に設けられた第２係合部に係合することにより施錠状態を保持し、さらに、第２ロック部材は、第２揺動体が施錠状態から解除状態に揺動する場合に、第２係合部との係合状態が変化しながら第２係合部から力を受けて揺動することによって第１ロック部材に保持力を作用させるように構成されていることを特徴とする。
【発明の効果】
【００１１】
以上に説明したように、本願発明では、少なくとも施錠状態から解除状態に移行する時に、他方のロック部材に対して施錠状態を保持する向きの保持力を作用させるので、２つの揺動体が同時に開いてしまうことを防止することができる。
【発明を実施するための最良の形態】
【００１２】
本実施形態は、複写機能（コピー機能）及びコンピュータからの印刷指令に基づいて印刷を実行するＰＣプリント機能を兼ね備えた多機能装置に本発明に係る画像形成装置を適用したものである。以下に本発明の実施形態を図面と共に説明する。
【００１３】
（第１実施形態）
１．図面の説明
図１は本実施形態に係る画像形成装置１の斜視図であり、図２は画像形成装置１の上面図であり、図３は本実施形態に係るロック機構５の斜視図であり、図４はロック機構５の分解斜視図であり、図５〜図１１はロック機構５の作動を示す説明図である。
【００１４】
２．画像形成装置の概略構造
本実施形態に係る画像形成装置１では、図１に示すように、上部側に原稿に記載された画像（文字も含む。）を読み込むスキャナ部２が設けられ、下部側に紙等の記録媒体に画像を形成するプリンタ部３が設けられ、スキャナ部２とプリンタ部３との間には、印刷が終了した用紙等が排出される排出部４が設けられている。
【００１５】
そして、スキャナ部２は、ＦＢ（フラットベッド）用原稿台（図示せず。）に原稿が静止状態で載置されたまま読取が実行されるＦＢ読取モード、及びＡＤＦ（オートドキュメントフィーダ）用原稿台（図示せず。）に載置された原稿を読取部（図示せず。）に自動搬送しながら読取を実行するＡＤＦ読取モードを有している。
【００１６】
また、ＦＢ用原稿台は、ガラス板又はアクリル板にて構成された画像読み取り用の読取窓であり、このＦＢ用原稿台には、ＦＢ用原稿台の枠部に揺動可能に組み付けられてＦＢ用原稿台を覆う原稿カバー２Ａが設けられている。なお、本実施形態に係る原稿カバー２Ａは、ＦＢ用原稿台の後方側において幅方向（左右方向）に延びる揺動軸（図示せず。）を介してＦＢ用原稿台に組み付けられている。
【００１７】
そして、原稿カバー２Ａの上面側のうち幅方向一端側には、図２に示すように、原稿を読取部に自動搬送するＡＤＦ機構２Ｂが設けられており、原稿カバー２Ａも含めたスキャナ部２全体は、図１に示すように、プリンタ部３の後方側において幅方向（左右方向）に延びる揺動軸（図示せず。）を介して後述するトップカバー３Ａに揺動可能に組み付けられている。
【００１８】
また、本実施形態に係るプリンタ部３は、電子写真方式の画像形成機構により構成されたものである。そして、プリンタ部３の上端部分、つまりプリンタ部３のうち排出部４に面した部分３Ａは、画像形成が終了した用紙等の記録シートが載置される排紙トレイ３Ｂが設けられたトップカバーであり、このトップカバー３Ａは、プリンタ本体部３Ｃの後方側において幅方向（左右方向）に延びる揺動軸（図示せず。）を介して揺動可能に組み付けられている。
【００１９】
３．ロック機構
本実施形態に係る画像形成装置１では、前述したように、トップカバー３Ａはプリンタ本体部３Ｃに対して揺動可能であり、スキャナ部２はトップカバー３Ａに対して揺動可能となっている。
【００２０】
そこで、本実施形態に係る画像形成装置１では、図３に示すように、トップカバー３Ａをプリンタ本体部３Ｃに対して揺動不可とするとともに、スキャナ部２をトップカバー３Ａに対して揺動不可とするためのロック機構５が設けられており、このロック機構５は、図２に示すように、画像形成装置１の前方側であって、幅方向においてＡＤＦ機構２Ｂと反対側の端部側に位置している。
【００２１】
また、ロック機構５は、図３に示すように、第１ロック部材５Ａ、第２ロック部材５Ｂ、第１係合部５Ｃ、第２係合部５Ｄ、第１バネ５Ｅ、及び第２バネ５Ｆ等を有して構成されており、第１ロック部材５Ａと第２ロック部材５Ｂとは、図５に示すように、共通の揺動軸５Ｇによりトップカバー３Ａに揺動可能に組み付けられている。
【００２２】
そして、第１ロック部材５Ａは、揺動軸５Ｇを揺動中心として揺動することにより、トップカバー３Ａをプリンタ本体部３Ｃに対して揺動不可とする施錠状態と、トップカバー３Ａをプリンタ本体部３Ｃに対して揺動可能とする解除状態とを切り替えるためのものである。
【００２３】
すなわち、第１ロック部材５Ａは、揺動軸５Ｇからプリンタ本体部３Ｃに設けられた円柱突起状の第１係合部５Ｃまで延出するレバー状に形成されており、その延出方向先端側には、第１係合部５Ｃが係合可能な第１被係合部５Ｈが形成されている。そして、第１被係合部５Ｈは、第１係合部５Ｃと第１被係合部５Ｈとの接点Ｐ１及び揺動軸５Ｇの中心を通る基準線Ｌ１に対して傾斜した傾斜面にて構成されている。
【００２４】
このため、第１ロック部材５Ａは、図５に示す第１被係合部５Ｈと第１係合部５Ｃとが係合した施錠状態から揺動軸５Ｇを中心として反時計周り（左向き）に回転すると、第１被係合部５Ｈと第１係合部５Ｃとの係合状態が解除され、プリンタ本体部３Ｃとトップカバー３Ａとは解除状態となる。逆に、施錠状態から更に第１ロック部材５Ａを時計周りに（右向きに）回転させる向きの力が第１ロック部材５Ａに作用すると、接点Ｐ１における接触圧が高まるので、施錠状態を保持する力が大きくなる。
【００２５】
また、第２ロック部材５Ｂは、揺動軸５Ｇを揺動中心として揺動することにより、スキャナ部２をトップカバー３Ａに対して揺動不可とする施錠状態と、スキャナ部２をトップカバー３Ａに対して揺動可能とする解除状態とを切り替えるためのものである。
【００２６】
すなわち、第２ロック部材５Ｂは、揺動軸５Ｇからスキャナ部２に設けられた円柱突起状の第２係合部５Ｄまで延出するレバー状に形成されており、その延出方向先端側には、第１係合部５Ｃが係合可能な第２被係合部５Ｊが形成されている。そして、第２被係合部５Ｊは、第２係合部５Ｄと第２被係合部５Ｊとの接点Ｐ２及び揺動軸５Ｇの中心を通る基準線Ｌ２に対して傾斜した傾斜面にて構成されている。
【００２７】
このため、第２ロック部材５Ｂは、図５に示す第２係合部５Ｄと第２被係合部５Ｊとが係合した施錠状態から揺動軸５Ｇを中心として時計周りに回転すると、第２係合部５Ｄと第２被係合部５Ｊとの係合状態が解除され、スキャナ部２とトップカバー３Ａとは解除状態となる。逆に、施錠状態から更に第２ロック部材５Ｂを反時計周りに回転させる向きの力が第２ロック部材５Ｂに作用すると、接点Ｐ２における接触圧が高まるので、施錠状態を保持する力が大きくなる。
【００２８】
つまり、第１ロック部材５Ａは、揺動軸５Ｇを中心として反時計周りに回転すると解除状態となり、時計周りに回転すると施錠状態となる。一方、第２ロック部材５Ｂは、揺動軸５Ｇを中心として時計周りに回転すると解除状態となり、反時計周りに回転すると施錠状態となる。
【００２９】
また、第１バネ５Ｅは、揺動軸５Ｇに対して第１係合部５Ｃ側にずれた位置に設けられて第１ロック部材５Ａ及び第２ロック部材５Ｂに対して、施錠状態を保持する向きの力（以下、この力を保持力という。）を作用させるバネ手段である。
【００３０】
すなわち、コイルバネ状の第１バネ５Ｅは、その一端側が揺動軸５Ｇより第１係合部５Ｃ側で第２ロック部材５Ｂに固定され、一方、他端側が揺動軸５Ｇより第１係合部５Ｃ側で第１ロック部材５Ａに接触しており、かつ、第１ロック部材５Ａ及び第２ロック部材５Ｂが共に施錠状態にあるときに、自然長より圧縮変形した状態で第１ロック部材５Ａ及び第２ロック部材５Ｂに接触又は固定されている。
【００３１】
このため、第１バネ５Ｅは、第１ロック部材５Ａに対しては第１ロック部材５Ａを反時計周りに回転させる力を作用させるとともに、その反力により、第２ロック部材５Ｂに対しては第２ロック部材５Ｂを時計周りに回転させる力を作用させるので、第１ロック部材５Ａ及び第２ロック部材５Ｂは、第１バネ５Ｅから保持力を受ける。
【００３２】
また、コイルバネ状の第２バネ５Ｆは、その一端側がトップカバー３Ａに形成された座部５Ｋに固定され、一方、他端側が揺動軸５Ｇより第１係合部５Ｃ側で第１ロック部材５Ａに接触している。そして、第１ロック部材５Ａが施錠状態にあるときに、自然長より圧縮変形した状態でとなっているため、第２バネ５Ｆは、常に、第１ロック部材５Ａに対して保持力を作用させる。
【００３３】
なお、第１ストッパ５Ｌは、第１ロック部材５Ａが解除状態となり、揺動軸５Ｇを中心として時計周りに回転したときに、第１ロック部材５Ａと衝突して第１ロック部材５Ａの回転量を規制する規制手段であり（図１０参照）、本実施形態では、第１ストッパ５Ｌは、第２ロック部材５Ｂに設けられている。
【００３４】
また、第２ストッパ５Ｍは、第２ロック部材５Ｂが解除状態となり、揺動軸５Ｇを中心として反時計周りに回転したときに、第２ロック部材５Ｂと衝突して第２ロック部材５Ｂの回転量を規制する規制手段であり（図７参照）、本実施形態では、第２ストッパ５Ｍは、トップカバー３Ａに設けられている。
【００３５】
また、第１ロック部材５Ａの延出方向先端側には、基準線Ｌ１と直交する仮想線に対して略線対称となるように傾斜した第１案内面５Ｎが設けられ、同様に、第２ロック部材５Ｂの延出方向先端側には、基準線Ｌ２と直交する仮想線に対して略線対称となるように傾斜した第２案内面５Ｐが設けられている。
【００３６】
４．ロック機構の作動及びその特徴
４．１．スキャナ部の施錠解除
第１ロック部材５Ａ及び第２ロック部材５Ｂが共に施錠状態にある場合には、図５に示すように、第１係合部５Ｃと第１被係合部５Ｈとが係合し、第２係合部５Ｄと第２被係合部５Ｊとが係合している。
【００３７】
この状態（図５）からユーザがスキャナ部２のみを上方側に揺動変位させると、第２被係合部５Ｊが基準線Ｌ２に対して傾斜しているので、スキャナ部２を上方側に揺動変位させ力Ｆｏにより、図６に示すように、接点Ｐ２において第２ロック部材５Ｂを時計周りに回転させる力Ｆ２が発生するとともに、第２ロック部材５Ｂの右回転に伴って第２係合部５Ｄが第２被係合部５Ｊ上を摺動変位する。
【００３８】
このとき、第２ロック部材５Ｂが時計周りに回転しているため、第１バネ５Ｅが第２ロック部材５Ｂよって、図５に示す状態より更に圧縮され、第１バネ５Ｅは、その反力として第１ロック部材５Ａを時計周りに回転させる力、つまり保持力を第１ロック部材５Ａに作用させる。
【００３９】
そして、第２係合部５Ｄと第２被係合部５Ｊとの係合が解除されて第２ロック部材５Ｂが解除状態となると、図７に示すように、第２ロック部材５Ｂを時計周りに回転させる力Ｆ２が消滅するので、第２ロック部材５Ｂは、第１バネ５Ｅの弾性力により第２ストッパ５Ｍに衝突するまで反時計周りに回転し、保持力が減少する。
【００４０】
つまり、第２ロック部材５Ｂは、スキャナ部２が揺動しながら施錠状態から解除状態に移行する時に、第２係合部５Ｄとの係合状態が変化しながら第２係合部５Ｄから力を受けて揺動することによって第１ロック部材５Ａに保持力を作用させる。そして、施錠状態から解除状態に移行が完了してスキャナ部２が解除状態となると、トップカバー３Ａとプリンタ本体部３Ｃとの施錠状態が維持されたまま、第１バネ５Ｅの保持力が減少する。
【００４１】
また、スキャナ部２が解除状態にあるときからスキャナ部２が下方側に揺動されると、第２係合部５Ｄが第２案内面５Ｐに接触し、かつ、第２案内面５Ｐが基準線Ｌ２に対して傾斜しているので、図８に示すように、スキャナ部２を下方側に揺動させる力Ｆｏにより、接点Ｐ２において第２ロック部材５Ｂを時計周りに回転させる力Ｆ２が発生するとともに、第２ロック部材５Ｂの右回転に伴って第２係合部５Ｄが相対的に第２案内面５Ｐ上を摺動変位し、最終的には、図５に示すような施錠状態となる。
【００４２】
４．２．トップカバーの施錠解除
第１ロック部材５Ａ及び第２ロック部材５Ｂが共に施錠状態にある状態（図５に示す状態）からユーザがトップカバー３Ａを上方側に揺動変位させると、第１被係合部５Ｈが基準線Ｌ１に対して傾斜しているので、トップカバー３Ａを上方側に揺動変位させ力Ｆｏにより、図９に示すように、接点Ｐ１において第１ロック部材５Ａを反時計周りに回転させる力Ｆ３が発生する。なお、力Ｆ２は、力Ｆｏによって接点Ｐ１において第１被係合部５Ｈに発生する垂直抗力であり、力Ｆ３は、力Ｆ２の回転方向成分である。
【００４３】
このとき、第１ロック部材５Ａが時計周りに回転しているため、第１バネ５Ｅが第１ロック部材５Ａより圧縮され、第１バネ５Ｅは、その反力として第２ロック部材５Ｂを時計周りに回転させる力、つまり第２ロック部材５Ｂについての保持力を第２ロック部材５Ｂに作用させる。
【００４４】
そして、第１係合部５Ｃと第１被係合部５Ｈとの係合が解除されて第１ロック部材５Ａが解除状態となると、図１０に示すように、第１ロック部材５Ａを時計周りに回転させる力Ｆ３が消滅する。このため、第１ロック部材５Ａは、第１バネ５Ｅの弾性力により第１ストッパ５Ｌに衝突するまで反時計周りに回転するので、第１バネ５Ｅが伸張し、保持力が減少する。
【００４５】
つまり、第１ロック部材５Ａは、トップカバー３Ａが揺動しながら施錠状態から解除状態に移行する時に、第１係合部５Ｃとの係合状態が変化しながら第１係合部５Ｃから力を受けて揺動することによって第２ロック部材５Ｂに保持力を作用させる。そして、施錠状態から解除状態に移行が完了してトップカバー３Ａが解除状態となると、トップカバー３Ａとスキャナ部２との施錠状態が維持されたまま、第１バネ５Ｅの保持力が減少する。
【００４６】
また、トップカバー３Ａとスキャナ部２とが施錠状態（図１０に示す状態）にあるときに、スキャナ部２をトップカバー３Ａに対して揺動させる（開く）ような力をユーザがスキャナ部２に作用させれば、第２ロック部材５Ｂの施錠状態を解除させることができる。
【００４７】
なお、トップカバー３Ａが解除状態にあるときからトップカバー３Ａが下方側に揺動されると、第１係合部５Ｃが第１案内面５Ｎに接触し、かつ、第１案内面５Ｎが基準線Ｌ１に対して傾斜しているので、図１１に示すように、トップカバー３Ａを下方側に揺動させる力Ｆｏにより、接点Ｐ１において第１ロック部材５Ａを反時計周りに回転させる力Ｆ２が発生するとともに、第１ロック部材５Ａの左回転に伴って第１係合部５Ｃが相対的に第１案内面５Ｎ上を摺動変位し、最終的には、図５に示すような施錠状態となる。
【００４８】
５．本実施形態に係る画像形成装置（ロック機構）の特徴
本実施形態では、スキャナ部２の施錠状態を解除するときには、施錠状態から解除状態に移行する時にのみ第２ロック部材５Ｂから第１ロック部材５Ａに保持力を作用させるので、スキャナ部２とトップカバー３Ａとが同時に開いてしまうことを防止することができるとともに、スキャナ部２が解除状態となったときには、第２ロック部材５Ｂから第１ロック部材５Ａに保持力が作用しないので、スキャナ部２が解除状態となったときにおいても、トップカバー３Ａとスキャナ部２とを容易に分離することができる。
【００４９】
また、第１被係合部５Ｈ及び第２被係合部５Ｊ、並びに第１案内面５Ｎ及び第２案内面５Ｐが基準線Ｌ１、Ｌ２に対して傾斜した面で形成されているので、ユーザがトップカバー３Ａ又はスキャナ部２を揺動させると、接点Ｐ１、Ｐ２において第１ロック部材５Ａ又は第２ロック部材５Ｂに対してこれら部材を回転させる力を作用させることができるので、トップカバー３Ａ及びスキャナ部２を容易に施錠状態又は解除状態とすることができるとともに、ユーザがトップカバー３Ａ又はスキャナ部２を揺動させた際に、ユーザに対して節度感（クリック感）を与えることができる。
【００５０】
また、第１ロック部材５Ａ及び第２ロック部材５Ｂが共に共通の揺動軸５Ｇに揺動可能に組み付けられているので、ロック機構５を装置本体に組み付ける前に、第１ロック部材５Ａ及び第２ロック部材５Ｂ等を組み立ててサブアッセンブリとして装置本体に組み付けることができるので、第１ロック部材５Ａ及び第２ロック部材５Ｂ等を１つずつ装置本体に組み付ける場合に比べて組み立て工数（組み立て時間）を低減することができる。
【００５１】
ところで仮に、ユーザが、幅方向略中央部に設けられた排出部４に手を掛けてスキャナ部２を上方側に揺動させると、ＡＤＦ機構２Ｂは比較的に重く、かつ、本実施形態では、幅方向一端側に設けられているので、スキャナ部２を上方側に揺動させる際にユーザが違和感を感じるおそれがある。
【００５２】
これに対して、本実施形態では、ロック機構５が、幅方向においてＡＤＦ機構２Ｂと反対側に設けられているので、ユーザがスキャナ部２を上方側に揺動させる際に、ユーザは幅方向両端側で抵抗を感じてバランスがよい印象を受け、操作感が向上する。
【００５３】
６．発明特定事項と実施形態との対応関係
本実施形態では、プリンタ部３が特許請求の範囲に記載された画像形成部に相当し、プリンタ本体部３Ｃが特許請求の範囲に記載された基部に相当し、トップカバー３Ａが特許請求の範囲に記載された第１揺動体に相当し、スキャナ部２が特許請求の範囲に記載された第２揺動体に相当する。
【００５４】
（第２実施形態）
第１実施形態に係るロック機構５において、第１バネ５Ｅは、第１ロック部材５Ａ及び第２ロック部材５Ｂの両者に対して施錠状態を保持するための力（保持力）を作用させるので、第２バネ５Ｆを廃止しても第１ロック部材５Ａ及び第２ロック部材５Ｂの両者に対して施錠状態を保持するための力を作用させることができる。
【００５５】
そこで、本実施形態では、図１２に示すように、第１実施形態に係るロック機構５の第２バネ５Ｆを廃止したものである。
（第３実施形態）
上述の実施形態に係るロック機構５では、共通の揺動軸５Ｇにより第１ロック部材５Ａ及び第２ロック部材５Ｂがトップカバー３Ａに揺動可能に組み付けられていたが、本実施形態は、第１ロック部材５Ａと第２ロック部材５Ｂとをそれぞれ異なる揺動軸にて回転可能としたものである。
【００５６】
以下、図１３〜図１８に示すロック機構５の状態図に従って、本実施形態に係るロック機構５の構造及び作動について説明する。
１．ロック機構の構造
本実施形態に係るロック機構５では、図１３に示すように、第１ロック部材５Ａは、トップカバー３Ａに設けられた第１揺動軸５Ｇ１に揺動可能に組み付けられているとともに、プリンタ本体部３Ｃに設けられた第１係合部５Ｃに係合することにより施錠状態を保持する。
【００５７】
一方、第２ロック部材５Ｂは、スキャナ部２に設けられた第２揺動軸５Ｇ２に揺動可能に組み付けられているとともに、第１ロック部材５Ａに設けられた第２係合部５Ｄに係合することにより施錠状態を保持する。
【００５８】
そして、第１係合部５Ｃはプリンタ本体部３Ｃに設けられた円柱状の突起部であるのに対して、第２係合部５Ｄは、第１ロック部材５Ａのうち第１揺動軸５Ｇ１を挟んで第１被係合部５Ｈと反対側に設けられ、かつ、第２被係合部５Ｊと係合した状態（図１３に示す状態）において、第２被係合部５Ｊと略平行な面にて構成されている。
【００５９】
なお、本実施形態では、第２被係合部５Ｊは、第２係合部５Ｄと係合した状態（図１３に示す状態）における第２係合部５Ｄと第２被係合部５Ｊとの接触部の面心（面積モーメントが釣り合う点）、及び第２揺動軸５Ｇ２の中心を通る基準線Ｌ２に対して傾斜した面にて構成されている。
【００６０】
また、第１ロック部材５Ａのうち第２係合部５Ｄ側の端部には、第２被係合部５Ｊと係合した状態（図１３に示す状態）において、第２案内面５Ｐと略平行な面にて構成され傾斜部５Ｑが設けられている。
【００６１】
また、バネ５Ｒは、第１ロック部材５Ａに対して施錠状態を保持する向きの力（保持力）を作用させるバネ手段であり、バネ５Ｓは第２ロック部材５Ｂに対して施錠状態を保持する向きの力（保持力）を作用させるバネ手段である。なお、バネ５Ｒの一端側はトップカバー３Ａに固定され、バネ５Ｓの一端側は、スキャナ部２に固定されている。
【００６２】
２．ロック機構の作動
２．１．スキャナ部の施錠解除
本実施形態においても、第１ロック部材５Ａは、図１３に示すように、第１被係合部５Ｈと第１係合部５Ｃとが係合した施錠状態から第１揺動軸５Ｇ１を中心として反時計周りに回転すると、第１被係合部５Ｈと第１係合部５Ｃとの係合状態が解除され、プリンタ本体部３Ｃとトップカバー３Ａとは解除状態となる。逆に、施錠状態から更に第１ロック部材５Ａを時計周りに回転させる向きの力が第１ロック部材５Ａに作用すると、第１係合部５Ｃと第１被係合部５Ｈとの接触圧が高まるので、施錠状態を保持する力が大きくなる。
【００６３】
また、第２ロック部材５Ｂは、第２係合部５Ｄと第２被係合部５Ｊとが係合した施錠状態から第２揺動軸５Ｇ２を中心として時計周りに回転すると、第２係合部５Ｄと第２被係合部５Ｊとの係合状態が解除され、スキャナ部２とトップカバー３Ａとは解除状態となる。
【００６４】
そして、第１係合部５Ｃと第１被係合部５Ｈとが係合し、第２係合部５Ｄと第２被係合部５Ｊとが係合している状態（図１３に示す状態）からユーザがスキャナ部２のみを上方側に揺動変位させると、第２被係合部５Ｊが基準線Ｌ２に対して傾斜しているので、スキャナ部２を上方側に揺動変位させ力Ｆｏにより、図１３に示すように、第２係合部５Ｄと第２被係合部５Ｊとの接触部において第２ロック部材５Ｂを時計周りに回転させる力Ｆ４が発生する。なお、力Ｆ３は、力Ｆｏによって第２被係合部５Ｊに発生する垂直抗力であり、力Ｆ４は、力Ｆ３の回転方向成分である。
【００６５】
このため、第２ロック部材５Ｂは、図１４に示すように、第１ロック部材５Ａから受ける力Ｆ４によって時計周りに回転するとともに、その反作用として、力Ｆ４と反対向きの力Ｆ５を第１ロック部材５Ａに作用させるので、第１ロック部材５Ａが更に時計周りに回転しようとする。したがって、第１係合部５Ｃと第１被係合部５Ｈとの接触圧が高まるので、施錠状態を保持する力が大きくなる。
【００６６】
そして、第２係合部５Ｄと第２被係合部５Ｊとの係合が解除されて第２ロック部材５Ｂが解除状態となると、図１５に示すように、第１ロック部材５Ａと第２ロック部材５Ｂとが離隔し、第２ロック部材５Ｂを時計周りに回転させる力Ｆ４及びその反力である力Ｆ５が消滅するので、第２ロック部材５Ｂは、第１バネ５Ｅの弾性力により第２ストッパ５Ｍに衝突するまで反時計周りに回転し、第１ロック部材５Ａは図１３に示す状態に戻り保持力が減少する。
【００６７】
つまり、第２ロック部材５Ｂは、スキャナ部２が揺動しながら施錠状態から解除状態に移行する時に、第２係合部５Ｄとの係合状態が変化しながら第２係合部５Ｄから力を受けて揺動し、一方、第１ロック部材５Ａは、第２ロック部材５Ｂが第２係合部５Ｄから受ける力の反作用により保持力を受ける。そして、施錠状態から解除状態への移行が完了してスキャナ部２が解除状態となると、図１６に示すように、トップカバー３Ａとプリンタ本体部３Ｃとの施錠状態が維持されたまま、バネ５Ｒの保持力が減少する。
【００６８】
２．２．トップカバーの施錠解除
第１係合部５Ｃと第１被係合部５Ｈとが係合し、第２係合部５Ｄと第２被係合部５Ｊとが係合している状態（図１３に示す状態）からユーザがトップカバー３Ａを上方側に揺動変位させると、第１被係合部５Ｈが基準線Ｌ１に対して傾斜しているので、トップカバー３Ａを上方側に揺動変位させ力Ｆｏにより、図１７に示すように、接点Ｐ１において第１ロック部材５Ａを反時計周りに回転させる力Ｆ３が発生する。なお、力Ｆ１は、力Ｆｏによって接点Ｐ１に発生する垂直抗力であり、力Ｆ３は、力Ｆ１の反作用として第１ロック部材５Ａが受ける反力Ｆ２の回転方向成分である。
【００６９】
このため、第１ロック部材５Ａは反時計周りに回転するので、第２係合部５Ｄに第２ロック部材５Ｂを反時計周りに回転させる力Ｆ４が発生し、第２ロック部材５Ｂが時計周りに回転する。このとき、第２揺動軸５Ｇ２を挟んで第２被係合部５Ｊと反対側にて第２ロック部材５Ｂに左向きの回転力を作用させるバネ５Ｓが縮み、バネ５Ｓで発生する弾性力が大きくなるので、第２係合部５Ｄと第２被係合部５Ｊとの接触圧が高まり、第２ロック部材５Ｂの施錠状態を保持する力が大きくなる。
【００７０】
そして、第１係合部５Ｃと第１被係合部５Ｈとの係合が解除されて第１ロック部材５Ａが解除状態となると、図１８に示すように、第１ロック部材５Ａを反時計周りに回転させる力Ｆ３が消滅するので、第１ロック部材５Ａは、バネ５Ｒの弾性力により第１ストッパ５Ｌに衝突するまで時計周りに回転し、第２ロック部材５Ｂは図１３に示す状態に戻り保持力が減少する。
【００７１】
つまり、第１ロック部材５Ａは、トップカバー３Ａが揺動しながら施錠状態から解除状態に移行する時に、第１係合部５Ｃとの係合状態が変化しながら第１係合部５Ｃから力を受けて揺動し、一方、第２ロック部材５Ｂは、第１ロック部材５Ａの揺動に伴って第２係合部５Ｄと第２被係合部５Ｊとの接触圧が高まり、第２ロック部材５Ｂの施錠状態を保持する力が大きくなる。そして、施錠状態から解除状態への移行が完了してトップカバー３Ａが解除状態となると、図１８に示すように、トップカバー３Ａとスキャナ部２との施錠状態が維持されたまま保持力が減少する。
【００７２】
なお、トップカバー３Ａが解除状態にあるときからトップカバー３Ａが下方側に揺動されると、第１係合部５Ｃが第１案内面５Ｎに接触し、かつ、第１案内面５Ｎが基準線Ｌ１に対して傾斜しているので、図１９に示すように、トップカバー３Ａを下方側に揺動させる力Ｆｏにより、接点Ｐ１において第１ロック部材５Ａを反時計周りに回転させる力Ｆ３が発生するとともに、第１ロック部材５Ａの左回転に伴って第１係合部５Ｃが相対的に第１案内面５Ｎ上を摺動変位し、最終的には、図１３に示すような施錠状態となる。因みに、力Ｆ１は力Ｆｏによって接点Ｐ１で発生する垂直抗力であり、力Ｆ３は力Ｆ１の反作用である力Ｆ２の回転方向成分である。
【００７３】
３．本実施形態に係る画像形成装置（ロック機構）の特徴
本実施形態においても、第１実施形態と同様に、スキャナ部２の施錠状態を解除するときには、施錠状態から解除状態に移行する時にのみ第２ロック部材５Ｂから第１ロック部材５Ａに保持力を作用させるので、スキャナ部２とトップカバー３Ａとが同時に開いてしまうことを防止することができるとともに、スキャナ部２が解除状態となったときには、第２ロック部材５Ｂから第１ロック部材５Ａに保持力が作用しないので、スキャナ部２が解除状態となったときにおいても、トップカバー３Ａとスキャナ部２とを容易に分離することができる。
【００７４】
（その他の実施形態）
上述の実施形態では、多機能装置に本発明を適用したが、本発明の適用はこれに限定されるものではない。
【００７５】
また、上述の実施形態では、第１揺動体に相当するトップカバー３Ａ及び第２揺動体に相当するスキャナ部２が上下方向に揺動するものであったが、本発明はこれに限定されるものではなく、画像形成装置に設けられる揺動体であれば、上述の実施形態に限定されるものではない。
【００７６】
また、本発明は、特許請求の範囲に記載された発明の趣旨に合致するものであればよく、上述の実施形態に限定されるものではない。
【図面の簡単な説明】
【００７７】
【図１】本発明の実施形態に係る画像形成装置１の斜視図である。
【図２】本発明の実施形態に係る画像形成装置１を上面図である。
【図３】本発明の第１実施形態に係るロック機構５の斜視図である。
【図４】本発明の第１実施形態に係るロック機構５の分解斜視図である。
【図５】本発明の第１実施形態に係るロック機構５の作動を示す説明図である。
【図６】本発明の第１実施形態に係るロック機構５の作動を示す説明図である。
【図７】本発明の第１実施形態に係るロック機構５の作動を示す説明図である。
【図８】本発明の第１実施形態に係るロック機構５の作動を示す説明図である。
【図９】本発明の第１実施形態に係るロック機構５の作動を示す説明図である。
【図１０】本発明の第１実施形態に係るロック機構５の作動を示す説明図である。
【図１１】本発明の第１実施形態に係るロック機構５の作動を示す説明図である。
【図１２】本発明の第２実施形態に係るロック機構５の作動を示す説明図である。
【図１３】本発明の第３実施形態に係るロック機構５の作動を示す説明図である。
【図１４】本発明の第３実施形態に係るロック機構５の作動を示す説明図である。
【図１５】本発明の第３実施形態に係るロック機構５の作動を示す説明図である。
【図１６】本発明の第３実施形態に係るロック機構５の作動を示す説明図である。
【図１７】本発明の第３実施形態に係るロック機構５の作動を示す説明図である。
【図１８】本発明の第３実施形態に係るロック機構５の作動を示す説明図である。
【図１９】本発明の第３実施形態に係るロック機構５の作動を示す説明図である。
【符号の説明】
【００７８】
１…画像形成装置、２…スキャナ部、２Ａ…原稿カバー、２Ｂ…ＡＤＦ機構、
３…プリンタ部、３Ａ…トップカバー、３Ｂ…排紙トレイ、３Ｃ…プリンタ本体部、
４…排出部、５…ロック機構、５Ａ…第１ロック部材、５Ｂ…第２ロック部材、
５Ｃ…第１係合部、５Ｄ…第２係合部、５Ｅ…第１バネ、５Ｆ…第２バネ、
５Ｇ…揺動軸、５Ｇ１…第１揺動軸、５Ｇ２…第２揺動軸、５Ｈ…第１被係合部、
５Ｊ…第２被係合部、５Ｌ…第１ストッパ、５Ｍ…第２ストッパ、
５Ｎ…第１案内面、５Ｐ…第２案内面、５Ｒ…バネ、５Ｓ…バネ。
【図１】
0005024031.tif 000002
【図２】
0005024031.tif 000003
【図３】
0005024031.tif 000004
【図４】
0005024031.tif 000005
【図５】
0005024031.tif 000006
【図６】
0005024031.tif 000007
【図７】
0005024031.tif 000008
【図８】
0005024031.tif 000009
【図９】
0005024031.tif 000010
【図１０】
0005024031.tif 000011
【図１１】
0005024031.tif 000012
【図１２】
0005024031.tif 000013
【図１３】
0005024031.tif 000014
【図１４】
0005024031.tif 000015
【図１５】
0005024031.tif 000016
【図１６】
0005024031.tif 000017
【図１７】
0005024031.tif 000018
【図１８】
0005024031.tif 000019
【図１９】
0005024031.tif 000020